(57)【要約】【課題】被介護者の離床状態を正確に検出してその際に行うべき的確な介護を実行させる。【解決手段】介護施設の居室に居住している被介護者の離床状態を検出する離床センサー２１と、離床センサー２１による検出結果に基づいて被介護者が離床状態である旨を報知する報知処理を実行する処理部２５とを有すると共に居室内に配置される離床センサーユニット１２を備え、離床センサーユニット１２は、照射された光を検出する光センサー２２を備え、処理部２５は、報知処理の実行状態において光センサー２２によって検出された光の検出パターンが予め規定された第１の規定パターンと一致したときに報知処理を停止する。【選択図】図３
2014117350.tif 000002
【特許請求の範囲】
【請求項１】
介護施設の居室に居住している被介護者の離床状態を検出する離床センサーと、当該離床センサーによる検出結果に基づいて当該被介護者が当該離床状態である旨を報知する報知処理を実行する処理部とを有すると共に当該居室内に配置される離床センサーユニットを備えた介護システムであって、
前記離床センサーユニットは、照射された光を検出する光センサーを備え、
前記処理部は、前記報知処理の実行状態において前記光センサーによって検出された前記光の検出パターンが予め規定された第１の規定パターンと一致したときに当該報知処理を停止する介護システム。
【請求項２】
前記第１の規定パターンは、前記光センサーによる前記光の検出が予め決められた規定時間以内の間隔で予め決められた回数だけ繰り返されるパターンに規定されている請求項１記載の介護システム。
【請求項３】
前記処理部は、前記検出パターンが予め規定された第２の規定パターンと一致したときに前記離床センサーによる検出結果に拘わらず前記報知処理を非実行状態に維持する請求項１または２記載の介護システム。
【請求項４】
前記離床センサーユニットは、当該離床センサーユニットの動作状態を発光素子の発光および発光停止によって表示する表示部を備え、
前記処理部は、前記検出パターンが予め規定された第３の規定パターンと一致したときに前記表示部による前記動作状態の表示を停止させる請求項１から３のいずれかに記載の介護システム。
【発明の詳細な説明】
【技術分野】
【０００１】
本発明は、介護施設の居室に居住している被介護者の離床状態を検出してその旨を報知する離床センサーユニットを備えた介護システムに関するものである。
【背景技術】
【０００２】
この種の介護システムとして、特開２００６−２７７０４９号公報に開示された施設内介護データ管理システム（以下、単に「システム」ともいう）が知られている。このシステムは、被介護者（要介護者）の居室に配置された居室端末および専用リモコン、介護者が待機するナースセンタに設置された管理ＰＣおよびセンタ端末、並びに介護者が携帯する入力端末などを備えて構成されている。このシステムでは、被介護者が居室に配置されている専用リモコンを操作して介護サービスを要請したときには、専用リモコンが信号を出力し、その信号を受信した居室内の居室端末がその信号をナースセンタに設置されているセンタ端末に送信する。これに応じて、ナースセンタに設置されている回転灯が作動し、介護サービスの要請があったことを介護者が認識する。次いで、介護者が要請に応じた介護サービスを実行する。また、介護者は、入力端末を操作して、実行した介護サービスの内容を入力する。
【０００３】
一方、この種のシステムを用いて、例えば、寝たきりの被介護者や徘徊癖のある被介護者を介護する際には、被介護者が離床状態であることを検出する離床センサーを居室に設置し、離床センサーによって被介護者の離床状態が検出されたときにナースセンタにその旨を報知する構成が採用される。この場合、このような構成では、ナースセンタにおいて離床センサーによる報知を停止させる操作を行わずに、介護者が居室に到着した際に停止ボタンを操作して離床センサーによる報知を停止させる運用を行うことで、介護者に確実に介護を実行させる（介護者を居室に確実に急行させる）ことが可能となる。
【先行技術文献】
【特許文献】
【０００４】
【特許文献１】特開２００６−２７７０４９号公報（第４−１２頁、第１図）
【発明の概要】
【発明が解決しようとする課題】
【０００５】
ところが、上記のシステムを含む、従来のこの種の介護システムには、解決すべき以下の課題がある。すなわち、離床センサーを用いるこの種の介護システムでは、居室に到着した介護者が離床センサーの停止ボタンを操作して離床センサーによる報知を停止させている。一方、離床センサーとして赤外線を用いた距離センサーを採用したときには、例えば、被介護者が仰向けの状態から上半身を起こした状態に移動したときの上半身の位置の変化（距離センサーから上半身までの距離の変化）に基づいて距離センサーが離床状態を検出する。このため、起こした状態の被介護者の上半身に赤外線が照射されるように予めセットした距離センサーの向き（距離センサーが出力する赤外線の向き）が変わると、正確な離床状態の検出が困難となる。しかしながら、従来のシステムでは、離床センサーの停止ボタンを操作して報知を停止する必要があるため、この停止ボタンの操作の際に距離センサーの向きが変わるおそれがあり、この結果、正確な離床状態の検出が困難となって、被介護者が離床した際に行うべき的確な介護ができないおそれがある。
【０００６】
本発明は、かかる課題に鑑みてなされたものであり、被介護者の離床状態を正確に検出してその際に行うべき的確な介護を実行させ得る介護システムを提供することを主目的とする。
【課題を解決するための手段】
【０００７】
上記目的を達成すべく請求項１記載の介護システムは、介護施設の居室に居住している被介護者の離床状態を検出する離床センサーと、当該離床センサーによる検出結果に基づいて当該被介護者が当該離床状態である旨を報知する報知処理を実行する処理部とを有すると共に当該居室内に配置される離床センサーユニットを備えた介護システムであって、前記離床センサーユニットは、照射された光を検出する光センサーを備え、前記処理部は、前記報知処理の実行状態において前記光センサーによって検出された前記光の検出パターンが予め規定された第１の規定パターンと一致したときに当該報知処理を停止する。
【０００８】
また、請求項２記載の介護システムは、請求項１記載の介護システムにおいて、前記第１の規定パターンは、前記光センサーによる前記光の検出が予め決められた規定時間以内の間隔で予め決められた回数だけ繰り返されるパターンに規定されている。
【０００９】
また、請求項３記載の介護システムは、請求項１または２記載の介護システムにおいて、前記処理部は、前記検出パターンが予め規定された第２の規定パターンと一致したときに前記離床センサーによる検出結果に拘わらず前記報知処理を非実行状態に維持する。
【００１０】
また、請求項４記載の介護システムは、請求項１から３のいずれかに記載の介護システムにおいて、前記離床センサーユニットは、当該離床センサーユニットの動作状態を発光素子の発光および発光停止によって表示する表示部を備え、前記処理部は、前記検出パターンが予め規定された第３の規定パターンと一致したときに前記表示部による前記動作状態の表示を停止させる。
【発明の効果】
【００１１】
請求項１記載の介護システムでは、処理部が、離床センサーによる検出結果に基づいて被介護者が離床状態である旨を報知する報知処理を実行すると共に、報知処理の実行状態において光センサーによって検出された光の検出パターンが予め規定された第１の規定パターンと一致したときに報知処理を停止する。このため、この介護システムによれば、離床センサーユニットに外力が加わるような操作を行うことなく、非接触で報知処理を停止させることができる。したがって、この介護システムによれば、離床センサーユニットに外力が加わることによって離床センサーユニット（離床センサー）の向きが変わる事態を確実に防止することができる結果、被介護者の離床状態を常に正確に検出してその際に行うべき的確な介護を確実に実行させることができる。また、この介護システムによれば、離床センサーユニットから離れた位置から光センサーに光を照射することで報知処理を停止させることができるため、手が届き難い位置に離床センサーユニットが設置されている場合においても、確実かつ容易に報知処理を停止させることができる。さらに、この介護システムによれば、特殊な発光器具等を用いることなく、介護者が通常携帯している懐中電灯を用いて規定パターンに合致するような照射パターンで光センサーに光を照射することで報知処理を停止させることができるため、介護者が介護を行う際の利便性を十分に向上させることができる。
【００１２】
また、請求項２記載の介護システムでは、光センサーによる光の検出が規定時間以内の間隔で予め決められた回数だけ繰り返されるパターンが第１の規定パターンとして規定されている。このため、この介護システムによれば、例えば、懐中電灯の光が光センサーに照射される位置で懐中電灯を移動（往復）させるような単純な操作を行うだけで確実かつ容易に報知処理を停止させることができる。
【００１３】
また、請求項３記載の介護システムでは、光センサーによる光の検出パターンが第２の規定パターンと一致したときに離床センサーによる検出結果に拘わらず報知処理を非実行状態に維持する。このような機能を設けたことにより、この介護システムによれば、離床状態であることが通常の行動の範疇である被介護者（離床状態を報知する必要がない被介護者）が居住している居室に設置されている離床センサーユニットについては、報知処理を非実行状態に維持する設定を簡単な操作によって確実かつ容易に行うことができる。
【００１４】
また、請求項４記載の介護システムでは、光センサーによる光の検出パターンが第３の規定パターンと一致したときに表示部の発光素子の発光および発光停止による離床センサーユニットの動作状態の表示を停止させる。このような機能を設けたことにより、この介護システムによれば、発光素子の発光（点滅）を嫌う被介護者が居住している居室に設置されている離床センサーユニットについては、離床センサーユニットによる報知処理の機能を継続させつつ発光素子の発光を停止した状態に維持させることができる。
【図面の簡単な説明】
【００１５】
【図１】介護システム１の構成を示す構成図である。
【図２】居室３００内の構成を示す構成図である。
【図３】離床センサーユニット１２の構成を示す構成図である。
【図４】コールユニット１３ａの構成を示す構成図である。
【図５】コールユニット１３ｂの構成を示す構成図である。
【図６】開閉センサーユニット１４ａ，１４ｂの構成を示す構成図である。
【図７】離床センサーユニット１２の外観を示す正面図である。
【発明を実施するための形態】
【００１６】
以下、介護システムの実施の形態について、添付図面を参照して説明する。
【００１７】
最初に、介護システムの一例としての介護システム１の構成について説明する。図１に示す介護システム１は、介護施設１００において用いられるシステムであって、介護施設１００に居住している被介護者Ｐ１（図２参照）に対して的確な介護サービスを提供するのに好適に構成されている。具体的には、介護システム１は、図１に示すように、管理装置１１、離床センサーユニット１２、コールユニット１３ａ，１３ｂ（以下、区別しないときには「コールユニット１３」ともいう）、開閉センサーユニット１４ａ，１４ｂ（以下、区別しないときには「開閉センサーユニット１４」ともいう）および携帯端末１５を備えて構成されている。
【００１８】
この場合、介護システム１は、一例として、被介護者Ｐ１が居住する複数の居室３００と、介護スタッフ（介護者）が常駐するスタッフルーム２００とを有する介護施設１００向けに構成されており、管理装置１１を１台備えると共に、離床センサーユニット１２、コールユニット１３ａ，１３ｂおよび開閉センサーユニット１４ａ，１４ｂを居室３００の数分備え、さらに、携帯端末１５を介護スタッフの人数分つまり複数備えて構成されている。なお、図１では、１つの居室３００分の離床センサーユニット１２、コールユニット１３ａ，１３ｂおよび開閉センサーユニット１４ａ，１４ｂのみを図示している。
【００１９】
管理装置１１は、図１に示すように、介護システム１のスタッフルーム２００に設置されている。この管理装置１１は、通信部１１ａを備えて構成され、離床センサーユニット１２、コールユニット１３、開閉センサーユニット１４および携帯端末１５との間でデータや信号の送受信を行う。また、管理装置１１は、各ユニット１２〜１４や携帯端末１５から送信されたデータや信号に基づいて各種の処理や情報の記録を実行する。
【００２０】
離床センサーユニット１２は、図２に示すように、居室３００内に配置されたベッド１０１の近傍の壁面に設置されて、被介護者Ｐ１が離床している状態（以下「離床状態」ともいう）を検出して、その旨を示す検出信号を管理装置１１の通信部１１ａに送信可能に構成されている。具体的には、離床センサーユニット１２は、図３に示すように、離床センサー２１、光センサー２２、表示部２３、通信部２４および処理部２５を備えて構成されている。
【００２１】
離床センサー２１は、一例として、アクティブ型の赤外線センサーで構成されて、射出した赤外線の反射光を受光してその強度に基づいて物体の移動を検出する。この場合、離床センサーユニット１２は、ベッド１０１上において被介護者Ｐ１が仰向けで横たわっている状態では、離床センサーユニット１２が設置された壁面に対向する壁面（図２における下側の壁面）に離床センサー２１からの赤外線が照射され、ベッド１０１上に横たわっている被介護者Ｐ１が上半身を起こしたときには、離床センサー２１からの赤外線が上半身に照射されるように、その設置位置や向きが調整されている。このため、離床センサー２１は、ベッド１０１上に横たわっている被介護者Ｐ１が上半身を起こしたときには、射出した赤外線の反射光の強度の変化に基づいてその旨（離床状態）を検出する。
【００２２】
光センサー２２は、一例として、リニア光センサーで構成されて、照射された光（居室３００内の照明から発せられる光、居室３００の窓１０４（図２参照）から射し込む自然光、および後述する懐中電灯５０から発せられる光５１などの可視光）を検出して検出信号を処理部２５に出力する。この場合、この介護システム１では、光の照度が予め設けたしきい値を超えるときだけ検出信号を出力するように光センサー２２が調整されている。また、この介護システム１では、時間帯や周囲の照度に応じてしきい値を変化させることが可能となっている。一例として、日中は、窓１０４から射し込む自然光の照度をしきい値とし、夕刻から消灯時間までの間は、照明からの光の照度をしきい値とし、消灯時間以後翌朝までの間は、しきい値を０ルクスとするように規定されている。
【００２３】
表示部２３は、一例として、図７に示すように、４つのＬＥＤ６１ａ〜６１ｄ（発光素子の一例：以下、区別しないときには「ＬＥＤ６１」ともいう）を備えて構成され、処理部２５の制御に従って各ＬＥＤ６１の発光および発光停止を行うことによって離床センサーユニット１２の動作状態を表示する。通信部２４は、処理部２５の制御に従って離床状態を報知する報知信号を管理装置１１の通信部１１ａに送信する。
【００２４】
処理部２５は、離床センサー２１によって離床状態が検出されたときに（離床センサー２１による検出結果に基づいて）被介護者Ｐ１が離床状態である旨を報知する報知処理（具体的には、離床状態を報知する報知信号を通信部２４を介して管理装置１１の通信部１１ａに送信させる処理）を実行する。また、処理部２５は、報知処理の実行状態において、光センサー２２によって検出された光の検出パターンが予め規定された第１の規定パターンと一致したときに報知処理を停止する。
【００２５】
具体的には、この介護システム１では、光センサー２２による光の検出が予め決められた規定時間（一例として、１秒）以内の間隔で２回（予め決められた回数の一例）だけ繰り返されるパターンが前記第１の規定パターンとして規定されている。このため、この介護システム１では、処理部２５は、光センサー２２によって１秒以内の間隔で２回の光の検出がされたときに（以下、この検出された回数を「検出回数」ともいう）報知処理を停止する。この場合、この離床センサーユニット１２では、報知処理を停止させるための停止スイッチが配設されておらず、上記したように光センサー２２による検出回数によって報知処理を停止する。つまり、この離床センサーユニット１２では、離床センサーユニット１２に外力が加わるような停止スイッチに対する操作を行うことなく、光センサー２２に対する光（後述する懐中電灯５０から発せられる光５１）の照射によって非接触の操作で報知処理を停止させることが可能となっている。
【００２６】
また、処理部２５は、光センサー２２による検出回数が３回（予め規定された第２の規定パターンの一例）のときに、離床センサー２１による検出結果に拘わらず報知処理を非実行状態に維持する。
【００２７】
さらに、処理部２５は、表示部２３の各ＬＥＤ６１の発光および発光停止を制御することによって離床センサーユニット１２の動作状態を表示させる。また、処理部２５は、光センサー２２による検出回数が４回（予め規定された第３の規定パターンの一例）のときに、表示部２３による動作状態の表示を停止させる。つまり、処理部２５は、検出回数が４回のときには、表示部２３の各ＬＥＤ６１を発光停止状態とさせる。
【００２８】
コールユニット１３ａは、図２に示すように、ベッド１０１の頭部側（同図における上方側）のベッドパネルに設置されている。また、コールユニット１３ａは、図４に示すように、コールスイッチ３１、センサーマット３２、光センサー２２、表示部２３、通信部２４および処理部２５を備えて構成されている。なお、上記した離床センサーユニット１２の構成要素と同様の構成要素については、同じ符号を付している（後述するコールユニット１３ｂおよび開閉センサーユニット１４ａ，１４ｂについても同様とする）。また、以下の説明において、離床センサーユニット１２の構成要素と同様の構成要素については、重複する説明を省略する。
【００２９】
このコールユニット１３ａでは、コールスイッチ３１が操作されたときに、処理部２５が、コールスイッチ３１が操作された旨を報知する報知信号を通信部２４を介して管理装置１１の通信部１１ａに送信させる。また、このコールユニット１３ａでは、図２に示すように、ベッド１０１の横（同図における右側）の床面に設置されているセンサーマット３２の上に被介護者Ｐ１が乗った（ベッド１０１から降り立った）ときに、センサーマット３２が、圧力を検出し、処理部２５が、センサーマット３２の検出結果に基づいて被介護者Ｐ１がベッド１０１から降り立った旨を報知する報知信号を通信部２４を介して管理装置１１の通信部１１ａに送信させる。
【００３０】
コールユニット１３ｂは、図２に示すように、トイレ１０２内の壁面に設置されている。また、コールユニット１３ｂは、図５に示すように、センサーマット３２を備えていない点を除いて、コールユニット１３ａと同様に構成されている。
【００３１】
開閉センサーユニット１４ａは、図２に示すように、入り口ドア１０３の開閉部分に設置され、開閉センサーユニット１４ｂは、同図に示すように、２つの窓１０４の重なり部分に設置されている。また、各開閉センサーユニット１４ａ，１４ｂは、図６に示すように、近接スイッチ４１、光センサー２２、表示部２３、通信部２４および処理部２５を備えて構成されている。この開閉センサーユニット１４ａ，１４ｂでは、入り口ドア１０３や窓１０４が開放されているときに、近接スイッチ４１が入り口ドア１０３と壁部との離反状態（近接していない状態）や２つの窓１０４の重なり部分同士の離反状態を検出し、処理部２５が、その検出結果に基づいて入り口ドア１０３や窓１０４が開放されている旨を報知する報知信号を通信部２４を介して管理装置１１の通信部１１ａに送信させる。
【００３２】
この介護システム１では、上記のようにそれぞれ構成された各ユニット１２〜１４の処理部２５が、離床センサー２１、センサーマット３２および近接スイッチ４１による検出結果やコールスイッチ３１に対する操作の有無に基づいて報知信号を送信させる処理を実行する動作モード（以下、「報知モード」ともいう）と、検出結果や操作の有無に拘わらず報知処理を非実行状態に維持する動作モード（以下、「非報知モード」ともいう）とを切り替えて設定することが可能となっている。また、これらの２つの動作モードの切替えは、後述する懐中電灯５０を用いた操作で行うことが可能となっている。
【００３３】
携帯端末１５は、介護スタッフが携帯する端末であって、通信部１１ａを介して管理装置１１から送信される文字情報や音声情報を表示（または、音声出力）可能に構成されている。また、携帯端末１５は、他の携帯端末１５との間で音声通話を行う機能（通話機能）や、情報を入力して通信部１１ａを介して管理装置１１に送信する機能も有している。また、各携帯端末１５は、識別情報を有しており、複数の介護スタッフがそれぞれ１台の携帯端末１５を携帯するように運用することで、その携帯端末１５が有する識別情報から介護スタッフを特定することが可能となっている。
【００３４】
次に、介護システム１の使用に先立って行う各ユニット１２〜１４に対する機能テスト（動作テスト）の方法、および各ユニット１２〜１４の動作モード（機能）を変更する方法について図面を参照して説明する。なお初期状態では、各ユニット１２〜１４が上記した報知モードに設定されているものとする。
【００３５】
この場合、各ユニット１２〜１４が報知モードに設定されているときには（つまり、初期状態では）、図７に示すように、処理部２５が表示部２３のＬＥＤ６１ｂを発光させている。この状態で、離床センサーユニット１２に対する機能テストを行う際には、同図に示すように、離床センサーユニット１２の光センサー２２に向けて、懐中電灯５０の光５１を照射させる。この際に、光センサー２２が正常に機能しているときには、光センサー２２が照射された光５１を検出し、処理部２５がその検出結果に基づいて表示部２３のＬＥＤ６１ｃを発光させる。このため、光センサー２２に光５１を照射したときにＬＥＤ６１ｃが発光するか否かによって光センサー２２が正常に機能しているか否かをテストすることができる。
【００３６】
次いで、離床センサー２１の前方（離床センサー２１から射出される赤外線の照射範囲）に遮蔽物（例えば、手）を位置させる。この際に、離床センサー２１が正常に機能しているときには、離床センサー２１が赤外線の反射光の強度の変化（この例では、増加）を検出する。また、処理部２５が、離床センサー２１の検出結果に基づいて表示部２３のＬＥＤ６１ｄを発光させる。続いて、遮蔽物を離床センサー２１の前方から外したときには、処理部２５は、ＬＥＤ６１ｄの発光を停止させる。また、処理部２５による報知処理が正常に機能しているときには、処理部２５は、離床センサー２１の検出結果に基づいて報知処理を実行すると共に、表示部２３のＬＥＤ６１ａを発光させる。このため、離床センサー２１の前方に遮蔽物を位置させたときにＬＥＤ６１ａ，６１ｄが発光するか否かにより、離床センサー２１が正常に機能しているか否か、および処理部２５による報知処理が正常に機能しているか否かをテストすることができる。以上で離床センサーユニット１２に対する機能テストが終了する。
【００３７】
次いで、コールユニット１３ａに対する機能テストでは、上記した光センサー２２についての機能テストに加えて、コールスイッチ３１およびセンサーマット３２についての機能テストを行う。この場合、コールスイッチ３１およびセンサーマット３２が正常に機能しているときには、コールスイッチ３１を操作したとき、およびセンサーマット３２に圧力を加えたときに、これらがその旨を検出し、処理部２５が検出結果に基づいて表示部２３のＬＥＤ６１ｄを発光させる。また、処理部２５による報知処理が正常に機能しているときには、処理部２５は、コールスイッチ３１およびセンサーマット３２の検出結果に基づいて報知処理を実行すると共に、表示部２３のＬＥＤ６１ａを発光させる。このため、コールスイッチ３１を操作したとき、およびセンサーマット３２に圧力を加えたときにＬＥＤ６１ａ，６１ｄが発光するか否かにより、コールスイッチ３１およびセンサーマット３２が正常に機能しているか否か、および処理部２５による報知処理が正常に機能しているか否かをテストすることができる。また、コールユニット１３ｂに対する機能テストでは、上記した光センサー２２についての機能テスト、およびコールスイッチ３１についての機能テストを行う。以上でコールユニット１３ａ，１３ｂに対する機能テストが終了する。
【００３８】
続いて、開閉センサーユニット１４ａ，１４ｂに対する機能テストでは、上記した光センサー２２についての機能テストに加えて、近接スイッチ４１についての機能テストを行う。この場合、近接スイッチ４１が正常に機能しているときには、入り口ドア１０３や窓１０４を開放したときに近接スイッチ４１がその旨を検出し、処理部２５が検出結果に基づいて表示部２３のＬＥＤ６１ｄを発光させる。また、処理部２５による報知処理が正常に機能しているときには、処理部２５は、近接スイッチ４１の検出結果に基づいて報知処理を実行すると共に、表示部２３のＬＥＤ６１ａを発光させる。このため、入り口ドア１０３や窓１０４を開放したときにＬＥＤ６１ａ，６１ｄが発光するか否かにより、近接スイッチ４１が正常に機能しているか否か、および処理部２５による報知処理が正常に機能しているか否かをテストすることができる。以上で開閉センサーユニット１４ａ，１４ｂに対する機能テストが終了する。
【００３９】
一方、この介護システム１では、例えば懐中電灯５０の光５１を用いた操作で各ユニット１２〜１４の処理を停止させたり動作モード（機能）を変更したりすることが可能となっている。具体的には、光センサー２２に対する光５１の照射を１秒（規定時間）以内の間隔で（インターバルが１秒以内となるように）２回（第１の規定パターンで規定されている検出回数と同じ回数）だけ繰り返して行うことで（以下、このような照射を「繰り返し照射」ともいう）、報知処理を停止させることができる。また、繰り返し照射を３回（第２の規定パターンで規定されている検出回数と同じ回数）行うことで、各ユニット１２〜１４を上記した報知モードから非報知モードへ切り替えることができる。この場合、３回の繰り返し照射を再度行うことで、非報知モードから報知モードへ切り替えることができる。また、繰り返し照射を４回（第３の規定パターンで規定されている検出回数と同じ回数）行うことで、各ユニット１２〜１４におけるＬＥＤ６１を除く各構成要素を作動させた状態で、ＬＥＤ６１を発光停止状態とさせることができる。この場合、４回の繰り返し照射を再度行うことで、ＬＥＤ６１の発光停止状態の解除（発光可能状態への復帰）を行うことができる。
【００４０】
次に、介護システム１の使用方法について、介護システム１を構成する各部の動作と共に図面を参照して説明する。一例として、複数の居室３００と１つのスタッフルーム２００を有する介護施設１００において介護システム１を使用する場合の使用方法について説明する。
【００４１】
この介護システム１が導入されている介護施設１００では、居室３００に居住している被介護者Ｐ１がベッド１０１上において仰向けの状態から上半身を起こしたときには、離床センサーユニット１２の離床センサー２１がその旨（離床状態）を検出する。また、離床センサーユニット１２の処理部２５が、離床センサー２１による検出結果に基づいて被介護者Ｐ１が離床状態である旨を報知する報知信号を通信部２４を介して管理装置１１の通信部１１ａに送信する報知処理を実行する。また、処理部２５は、表示部２３のＬＥＤ６１ａを発光させて報知処理を実行した旨を表示させる。
【００４２】
次いで、管理装置１１が、送信された報知信号に基づき、被介護者Ｐ１が離床状態である旨を示す情報を居室３００の位置を示す情報（例えば、居室３００の番号）と共に通信部１１ａを介して各携帯端末１５に送信する。
【００４３】
この場合、その居室３００の被介護者Ｐ１が寝たきりであったり、徘徊癖があったりするときには、送信された情報を確認した介護スタッフが該当する居室３００に向かい、必要な措置を講じる。また、該当する居室３００に到着した介護スタッフは、離床センサーユニット１２による報知処理を停止させる。
【００４４】
ここで、この介護システム１では、上記したように、懐中電灯５０の光５１を光センサー２２に対して２回だけ繰り返し照射するだけで、離床センサーユニット１２に外力が加わるような操作を行うことなく、非接触で報知処理を停止させることができる。このため、この介護システム１では、離床センサーユニット１２に外力が加わることによって離床センサーユニット１２（離床センサー２１）の向きが変わり、これに起因して離床センサー２１による離床状態の検出が困難となる事態を確実に防止することが可能となっている。
【００４５】
なお、寝たきりや徘徊癖がある被介護者Ｐ１に該当しない被介護者Ｐ１（離床状態であることが通常の行動の範疇である被介護者Ｐ１）が居住している居室３００については、その居室３００に設置されている離床センサーユニット１２を非報知モードに予め設定することができる。この場合、上記したように、繰り返し照射を３回行うことで、このような設定を容易に行うことができる。また、このような居室３００については、報知信号が送信されたとしても携帯端末１５に情報を送信しないように管理装置１１を設定することもできる。
【００４６】
一方、被介護者Ｐ１が介護サービスの提供を希望するときや、緊急の事態が発生したときには、コールユニット１３ａ，１３ｂのいずれかのコールスイッチを操作する。この際には、操作がされたコールユニット１３が、コールスイッチが操作された旨を報知する報知信号を通信部２４を介して管理装置１１の通信部１１ａに送信させ、管理装置１１が、報知信号に基づき、被介護者Ｐ１からコールがあった旨を示す情報を居室３００の位置を示す情報と共に通信部１１ａを介して各携帯端末１５に送信する。
【００４７】
続いて、送信された情報を携帯端末１５を介して確認した介護スタッフが該当する居室３００に到着したときには、介護スタッフは、上記した懐中電灯５０を用いた操作で報知処理を停止させると共に、被介護者Ｐ１の様子を確認する。この場合、緊急性が高いときには、適切な措置を講じると共に、必要に応じて携帯端末１５を用いて応援を要請する。一方、緊急性が低いときには、要望を聞き、それに応じた介護サービスを提供（実行）する。
【００４８】
また、入り口ドア１０３や窓１０４が開放されたときには、開閉センサーユニット１４が、その旨を報知する報知信号を通信部２４を介して管理装置１１の通信部１１ａに送信させ、管理装置１１が、報知信号に基づき、入り口ドア１０３や窓１０４が開放されている旨を示す情報を居室３００および入り口ドア１０３や窓１０４の位置を示す情報と共に通信部１１ａを介して各携帯端末１５に送信する。
【００４９】
この場合、入り口ドア１０３や窓１０４の開閉を規制する必要があるとき（居室３００への関係者以外の者の入室や、居室３００からの被介護者Ｐ１の退室を制限する必要があるとき）には、送信された情報を携帯端末１５を介して確認した介護スタッフが、該当する居室３００に向かい必要な措置を講じる。また、該当する居室３００に到着した介護スタッフは、上記した懐中電灯５０を用いた非接触の操作で報知処理を停止させる。なお、各開閉センサーユニット１４からの報知信号の送信に対する対応が不要な居室３００（入室や退室が制限されていない居室３００）については、その居室３００に設置されている各開閉センサーユニット１４を非報知モードに予め設定したり、報知信号が送信されても携帯端末１５に情報を送信しないように管理装置１１を設定したりすることもできる。
【００５０】
一方、各ユニット１２〜１４のＬＥＤ６１の発光（点滅）を嫌う被介護者Ｐ１が、ＬＥＤ６１の発光停止（消灯）を要望することがある。このような被介護者Ｐ１が居住する居室３００については、上記した懐中電灯５０の光５１を用いた繰り返し照射を４回行うことで、各ユニット１２〜１４におけるＬＥＤ６１を除く各構成要素を作動させた状態で、ＬＥＤ６１を発光停止状態とさせることができる。このため、各ユニット１２〜１４による報知処理の機能を継続させつつ被介護者Ｐ１の要望を満足させることが可能となっている。
【００５１】
このように、この介護システム１では、処理部２５が、離床センサー２１による検出結果に基づいて被介護者Ｐ１が離床状態である旨を報知する報知処理を実行すると共に、報知処理の実行状態において光センサー２２によって検出された光の検出パターンが予め規定された第１の規定パターンと一致したときに報知処理を停止する。このため、この介護システム１によれば、離床センサーユニット１２に外力が加わるような操作を行うことなく、非接触で報知処理を停止させることができる。したがって、この介護システム１によれば、離床センサーユニット１２に外力が加わることによって離床センサーユニット１２（離床センサー２１）の向きが変わる事態を確実に防止することができる結果、被介護者Ｐ１の離床状態を常に正確に検出してその際に行うべき的確な介護を確実に実行させることができる。また、この介護システム１によれば、離床センサーユニット１２から離れた位置から光センサー２２に光５１を照射することで報知処理を停止させることができるため、手が届き難い位置に離床センサーユニット１２が設置されている場合においても、確実かつ容易に報知処理を停止させることができる。さらに、この介護システム１によれば、特殊な発光器具等を用いることなく、介護スタッフが通常携帯している懐中電灯５０を用いて規定パターンに合致するような照射パターンで光センサー２２に光５１を照射することで報知処理を停止させることができるため、介護スタッフが介護を行う際の利便性を十分に向上させることができる。
【００５２】
また、この介護システム１では、光センサー２２による光５１の検出が規定時間（１秒）以内の間隔で２回だけ繰り返されるパターンが第１の規定パターンとして規定されている。このため、この介護システム１によれば、例えば、懐中電灯５０の光５１が光センサー２２に照射される位置で懐中電灯５０を１回往復させるような単純な操作を行うだけで確実かつ容易に報知処理を停止させることができる。
【００５３】
また、この介護システム１では、光センサー２２による光５１の検出回数が３回のとき（検出パターンが第２の規定パターンと一致したとき）に離床センサー２１による検出結果に拘わらず報知処理を非実行状態に維持する。このような機能を設けたことにより、この介護システム１によれば、離床状態であることが通常の行動の範疇である被介護者Ｐ１（離床状態を報知する必要がない被介護者Ｐ１）が居住している居室３００に設置されている離床センサーユニット１２については、報知処理を非実行状態に維持する設定を簡単な操作によって確実かつ容易に行うことができる。
【００５４】
また、この介護システム１では、光センサー２２による光５１の検出回数が４回のとき（検出パターンが第３の規定パターンと一致したとき）にＬＥＤ６１の発光パターンによる離床センサーユニット１２の動作状態の表示を停止させる。このような機能を設けたことにより、この介護システム１によれば、ＬＥＤ６１の発光（点滅）を嫌う被介護者Ｐ１が居住している居室３００に設置されている離床センサーユニット１２については、離床センサーユニット１２による報知処理の機能を継続させつつＬＥＤ６１の発光を停止した状態に維持させることができる。
【００５５】
なお、介護システム１の構成は、上記の構成に限定されず、適宜変更することができる。例えば、第１の規定パターン、第２の規定パターンおよび第３の規定パターンにおける検出回数を、２回、３回および４回にそれぞれ規定した例について上記したが、これらは、互いに異なる任意の回数に規定することができる。また、検出回数における規定時間も１秒に限定されず、１秒以外の任意の時間に規定することができる。
【００５６】
また、検出回数を用いて第１の規定パターンを規定する構成には限定されず、他の態様で第１の規定パターンを規定することもできる。例えば、光センサー２２が予め決められた時間（例えば、３秒）以上連続して光５１を検出する検出パターン（光５１を光センサー２２に３秒以上連続して照射する照射パターン）を第１の規定パターンとすることもできる。
【００５７】
また、コールユニット１３および開閉センサーユニット１４に光センサー２２を設けて、懐中電灯５０を用いた非接触の操作で報知処理を停止させる構成例について上記したが、離床センサー２１を備えていないコールユニット１３および開閉センサーユニット１４については、必ずしも非接触の操作で報知処理を停止させる必要はなく、例えば、報知処理を停止させる停止スイッチを設けて、この停止スイッチを操作して報知処理を停止させる構成を採用することもできる。
【００５８】
また、２つのコールユニット１３ａ，１３ｂおよび２つの開閉センサーユニット１４ａ，１４ｂを備えた構成例について上記したが、これらの各ユニットの数や設置位置は任意に変更することができる。
【符号の説明】
【００５９】
１  介護システム
１２  離床センサーユニット
２１  離床センサー
２２  光センサー
２３  表示部
２５  処理部
６１ａ〜６１ｄ  ＬＥＤ
１００  介護施設
３００  居室
Ｐ１  被介護者
【図１】
2014117350.tif 000003
【図２】
2014117350.tif 000004
【図３】
2014117350.tif 000005
【図４】
2014117350.tif 000006
【図５】
2014117350.tif 000007
【図６】
2014117350.tif 000008
【図７】
2014117350.tif 000009